【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
入力光に応答する光共振器を備える光励起システムであって、
前記光共振器は、積み重ねられた多層を有し、前記多層の異なる層は、さまざまな材料から成っており、前記さまざまな層のいくつかは、複数の反射器を画定するように設計され、構成され、配列されており、前記複数の反射器は、多共振器空洞を画定するように位置付けられており、
前記光共振器は、前記共振器空洞の少なくとも１つに位置付けられている少なく1つの光ルミネセンス層をさらに有し、前記少なくとも一つの光ルミネセンス層は、前記入力光があると発光するように設計されている、光励起システム。
【請求項２】
前記多層は、互いにモノリシック構造である、請求項１に記載の光励起システム。
【請求項３】
前記複数の反射器のそれぞれは、分布ブラッグ反射器を備えている、請求項１に記載の光励起システム。
【請求項４】
前記複数の反射器のそれぞれは、分布ブラッグ反射器を備えていない、請求項１に記載の光励起システム。
【請求項５】
前記複数の反射器の前記反射率は、互いと異なっている、請求項１に記載の光励起システム。
【請求項６】
前記複数の共振器空洞は、互いに間隔を空けて配置されている、請求項１に記載の光励起システム。
【請求項７】
前記複数の共振器空洞は、互いに直列に連結されている、請求項６に記載の光励起システム。
【請求項８】
前記複数の共振器空洞は、薄膜の空胴である、請求項１に記載の光励起システム。
【請求項９】
前記少なくとも１つの光ルミネセンス層は、少なくとも一つの蛍光体層を備えている、請求項１に記載の光励起システム。
【請求項１０】
前記少なくとも１つの蛍光体層は、少なくとも１つの量子閉込層を備え得る、請求項９に記載の光励起システム。
【請求項１１】
前記少なくとも１つの蛍光体層は、少なくとも１つの量子井戸層を備え得る、請求項９に記載の光励起システム。
【請求項１２】
前記共振器は、波腹のある内部定在波を発生させるように同調され、前記少なくとも１つの光ルミネセンス層は、前記内部定在波が存在しているとき、前記内部定在波の前記波腹の少なくとも１つにそれぞれ位置付けられる少なくとも１つの量子閉込副層を備えている、請求項１に記載の光励起システム。
【請求項１３】
前記少なくとも１つの量子閉込層は、半導体材料を備えている、請求項１２に記載の光励起システム。
【請求項１４】
前記少なくとも１つの量子閉込層は、ＩＩ−ＶＩ族半導体材料を備えている、請求項１２に記載の光励起システム。
【請求項１５】
前記少なくとも１つの量子閉込層は、ＩＩＩ−Ｖ族半導体材料を備えている、請求項１２に記載の光励起システム。
【請求項１６】
前記少なくとも１つの光ルミネセンス層は、前記複数の共振器空洞の少なくとも１つの中に位置付けられる、請求項１に記載の光励起システム。
【請求項１７】
前記少なくとも１つの光ルミネセンス層は、約５０ｎｍ未満の幅を有する波長の帯域全域で出力光ルミネセンス光を提供するように選択される均一な厚さを有している、請求項１に記載の光励起システム。
【請求項１８】
前記少なくとも１つの光ルミネセンス層は、約５０ｎｍより大きい波長の帯域全域で出力光ルミネセンス光を提供するように選択される変化する厚さを有している、請求項１に記載の光励起システム。
【請求項１９】
前記複数の共振器空洞は、互いが実質的に同じ厚さである複数の光ルミネセンス層をそれぞれ含んでいる、請求項１に記載の光励起システム。
【請求項２０】
前記複数の共振器空洞は、互いに比較して実質的に異なる厚さになっている複数の光ルミネセンス層をそれぞれ含んでいる、請求項１に記載の光励起システム。
【請求項２１】
前記複数の共振器空洞の少なくとも１つに隣接して位置付けられる光源をさらに備えており、前記光源が、前記共振器を光励起させるように設計され、かつ構成されている、請求項１に記載の光励起システム。
【請求項２２】
前記積み重ねられた多層は、モノリシックであり、前記光源は、前記積み重ねられた多層とモノリシックである、請求項２１に記載の光励起システム。
【請求項２３】
前記光励起システムは、発光ダイオードの前記光出力と強度及び品質において同等である光を出力するように同調される、請求項１に記載の光励起システム。
【請求項２４】
前記光励起システムは、レーザダイオードの前記光出力と強度及び品質において同等である光を出力するように同調される、請求項１に記載の光励起システム。
【請求項２５】
前記光励起システムは、ポラリトンレーザダイオードの前記光出力と強度及び品質において同等である光を出力するように同調される、請求項１に記載の光励起システム。
【請求項２６】
前記光励起システムは、垂直空洞面発光レーザの前記光出力と強度及び品質において同等である光を出力するように同調される、請求項１に記載の光励起システム。
【請求項２７】
前記共振器は、第１の波長と異なる第２の波長の前記入力光を受け取ったことに応答して前記第１の波長の光を出力するように設計されかつ構成され、前記共振器が、前記１及び第２の波長のそれぞれと同時に共振するように同調される、請求項１に記載の光励起システム。
【請求項２８】
第１の波長の入力光を受け取り、第２の波長の出力光を出力するように設計されかつ構成される光共振器システムを形成する方法であって、前記第１及び第２の波長は互いに異なっており、前記方法は、
複数の反射器を配列して、前記入力光及び前記出力光に応じて構成される複数の光共振器空胴を画定することと、
一対の前記複数の反射器の間に光ルミネセンス層を位置付けることと、を含み、
前記光ルミネセンス層が、前記入力光があると発光するように選択される、方法。
【請求項２９】
前記複数の反射器を配列すること及び前記光ルミネセンス層を位置付けることは、前記複数の反射器及び前記光ルミネセンス層を互いにモノリシックにさせることを含む、請求項２８に記載の方法。
【請求項３０】
前記複数の反射器を配列することは、薄膜を用いて複数の分布ブラッグ反射器を形成することと、前記入力光及び前記出力光に応じて前記複数の分布ブラッグ反射器を構成することと、を含む、請求項２８に記載の方法。
【請求項３１】
前記複数の反射器を配列することは、薄膜を用いて複数の分布ブラッグ反射器を形成することと、前記入力光及び前記出力光に応じて前記複数の非分布ブラッグ反射器を構成することと、を含む、請求項２８に記載の方法。
【請求項３２】
前記複数の反射器を配列することは、前記複数の光共振器空胴の少なくとも１つが、前記第２の波長ではなく、前記第１の波長で共振するように前記複数の反射器を配列することを含む、請求項２８に記載の方法。
【請求項３３】
前記複数の反射器を配列することは、前記複数の光共振器空胴が、互いに直列に連結されるように前記複数の反射器を配列することを含む、請求項２８に記載の方法。
【請求項３４】
前記複数の光共振器空胴のそれぞれを薄膜の空洞にすることをさらに含む、請求項２８に記載の方法。
【請求項３５】
前記複数の反射器を配列することは、前記複数の光共振器空胴の少なくとも１つが、前記第１の波長及び前記第２の波長で同時に共振するように前記複数の反射器を配列することを含む、請求項２８に記載の方法。
【請求項３６】
前記光ルミネセンス層を位置付けることは、蛍光体層を配置することを含む、請求項２８に記載の方法。
【請求項３７】
前記蛍光体層を位置付けることは、量子閉込層を配置することを含む、請求項３６に記載の方法。
【請求項３８】
前記量子閉込層を配置することは、少なくとも１つの量子井戸層を配置することを含む、請求項３７に記載の方法。
【請求項３９】
前記光ルミネセンス層を配置することは、前記光共振器が、複数の波長で光を出力するように選択されて意図的に変化する厚さを有する光ルミネセンス層を配置することを含む、請求項２８に記載の方法。
【請求項４０】
前記複数の前記反射器を配列することは、前記複数の光学共振器空洞の少なくとも１つが、前記複数の光学共振器空洞の少なくとも１つの中に波腹場所のある内部定在波を発生させるように同調されるように、前記複数の反射器を配列することを含み、前記光ルミネセンス層を位置付けることは、前記波腹場所の少なくとも１つで少なくとも１つの量子閉込副層を位置付けることを含む、請求項２８に記載の方法。
【請求項４１】
少なくとも１つの量子閉込副層を位置付けることは、量子井戸層を配置することを含む、請求項４０に記載の方法。
【請求項４２】
前記少なくとも１つの量子閉込副層を位置付けることは、半導体材料を配置することを含む、請求項４０に記載の方法。
【請求項４３】
約５０ｎｍ未満の幅を有する波長の帯域全域で光ルミネセンス光を出力するように選択される、実質的に均一な厚さの前記光ルミネセンス層を配置することをさらに含む、請求項２８に記載の方法。
【請求項４４】
約５０ｎｍより大きい幅を有する波長の帯域全域で光ルミネセンス光を出力するように選択される、変化する厚さの前記光ルミネセンス層を配置することをさらに含む、請求項２８に記載の方法。
【請求項４５】
複数の光ルミネセンス層を、前記複数の光学共振器空洞の中にそれぞれ位置付けることをさらに含み、前記複数の光ルミネセンス層は、互いが実質的に同じ厚さを有している、請求項２８に記載の方法。
【請求項４６】
複数の光ルミネセンス層を、前記複数の光学共振器空洞の中にそれぞれ位置付けることをさらに含み、前記複数の光ルミネセンス層は、互いに比較して実質的に異なる厚さを有している、請求項２８に記載の方法。
【請求項４７】
発光ダイオードの前記光出力と強度及び品質において同等の光を出力するように前記光共振器システムを同調させることをさらに含む、請求項２８に記載の方法。
【請求項４８】
レーザダイオードの前記光出力と強度及び品質において同等の光を出力するように前記光共振器システムを同調させることをさらに含む、請求項２８に記載の方法。
【請求項４９】
ポラリトンレーザダイオードの前記光出力と強度及び品質において同等の光を出力するように前記光共振器システムを同調させることをさらに含む、請求項２８に記載の方法。
【請求項５０】
垂直空洞面発光レーザの前記光出力と強度及び品質において同等の光を出力するように前記光共振器システムを同調させることをさらに含む、請求項２８に記載の方法。
【請求項５１】
前記光共振器システムを、第１の波長と異なる第２の波長の前記入力光を受け取ったことに応答して前記第１の波長の光を出力するように、かつ前記１及び第２の波長のそれぞれと同時に共振するように、構成することをさらに含む、請求項２８に記載の方法。
【請求項５２】
入力光に応答する光共振器を備える光励起システムであって、
前記光共振器は、積み重ねられた多層を有し、前記多層の異なる層は、さまざまな材料から成っており、前記さまざまな層のいくつかは、複数の反射器を画定するように設計され、構成され、配列されており、前記複数の反射器は、多共振器空洞を画定するように位置付けられており、
前記光共振器は、前記共振器空洞の少なくとも１つに位置付けられている少なく1つの光ルミネセンス層をさらに有し、前記少なくとも一つの光ルミネセンス層は、前記入力光があると発光して光ルミネセンス光を生成するように設計されており、
前記少なくとも一つの共振器空洞は、前記入力光及び前記光ルミネセンス光の周波数で同時に共振するように設計され、構成されている、光励起システム。